(57)【要約】【課題】ダイカストマシンの射出装置を制御するために組み込まれた油圧バルブや圧力計などの油圧部品、位置検出センサーや圧力検出器などの電気部品への衝撃や振動の伝達を緩和して、故障や損傷が低減されたダイカストマシンの射出装置を提供することにある。【解決手段】ダイカストマシンの射出装置は、前記射出装置が衝撃や振動を緩衝する緩衝装置を、前記射出装置と該射出装置下方に設けた支持部材との間に備える。緩衝装置が、前記射出装置に組み込まれた油圧部品や電気部品などへの衝撃や振動の伝達を緩和して、故障や損傷を低減する。【選択図】図２
2008062271.tif 000002
【特許請求の範囲】
【請求項１】
射出シリンダの前端部が型締装置の固定盤に設けられたフレームに嵌挿され金型内に金属の溶湯を射出充填するダイカストマシンの射出装置において、前記射出装置が衝撃や振動を緩衝する緩衝装置を備えていることを特徴とするダイカストマシンの射出装置。
【請求項２】
前記緩衝装置が、前記射出装置が発生する衝撃力の大きさや方向及び振動の振幅や固有振動数などの特性に応じた緩衝特性を有していることを特徴とする請求項１に記載のダイカストマシンの射出装置。
【請求項３】
前記緩衝装置が、前記射出装置と該射出装置下方に設けた支持部材との間に配設されていることを特徴とする請求項１又は請求項２に記載のダイカストマシンの射出装置。
【請求項４】
前記緩衝装置が、前記フレーム後端部及び前記射出シリンダ後端部に設けられ、前記射出装置の軸線方向に垂直方向の振幅に作用する複数個の緩衝手段を備えていることを特徴とする請求項１乃至請求項３のいずれかに記載のダイカストマシンの射出装置。
【請求項５】
前記緩衝装置が、前記フレーム後端部及び前記射出シリンダ後端部に設けられ、前記射出装置の軸線方向に交差方向の振幅に作用する複数個の緩衝手段を備えていることを特徴とする請求項１乃至請求項３のいずれかに記載のダイカストマシンの射出装置。
【請求項６】
前記緩衝手段が、前記射出装置と前記支持部材に挟持されたシート状の弾性部材と、前記支持部材ボルト挿通孔に嵌着されたスリーブ状の弾性部材と、該スリーブ状の弾性部材を挿通して前記射出装置に螺挿された植え込みボルトと、該植え込みボルトに挿通して配される金属バネと、リング状の弾性部材で構成され、前記射出装置に固定手段によって弾接されたことを特徴とする請求項１乃至請求項５のいずれかに記載のダイカストマシンの射出装置。
【発明の詳細な説明】
【技術分野】
【０００１】
本発明は、ダイカストマシンの射出装置に関するものである。
【背景技術】
【０００２】
アルミニウム合金などの軽金属材料を鋳造するダイカスト鋳造に用いられるダイカストマシンの射出装置は、一般に射出スリーブ内に摺動自在に嵌挿されたプランジャチップを、射出プランジャを介して射出シリンダで前進移動させて、その後減速し射出スリーブ内の溶湯を金型キャビティ内に射出充填する構成となっている。
高品位のアルミニウム合金などの鋳造品を得るには、溶湯が凝固する前に充填を完了する短時間充填がより重要になってきている。特に、軽量化され薄肉化された製品や複雑な形状の製品などを鋳造するために射出速度の高速化が図られている。
【０００３】
射出速度を高速化すると、射出装置のプランジャチップ、射出プランジャ、射出シリンダピストンおよびピストンロッド、射出シリンダピストンロッドと射出プランジャの連結部品など移動部材の慣性力が溶湯の金型キャビティの充填と同時に作用して、金型キャビティ内にサージ圧力が発生する。そして、このサージ圧力が型締力を超えて作用すると、金型のパーティング面に溶湯が差し込んでバリが発生することとなる。さらに、この慣性力は射出速度の二乗に比例して大きくなってくる。
【０００４】
そこで従来、例えば、特許文献１に記載のダイカストマシンでは、射出プランジャと射出シリンダピストンロッドとの連結手段であるカップリング内に弾性部材を介装し、サージ圧力を前記弾性部材の圧縮によって吸収しようとしている。また、特許文献２に記載のダイカストマシンでは、射出充填完了前に射出シリンダに供給する油圧圧力を減圧し、その後に射出速度を減速して高速充填時のサージ圧力を抑えるようにしている。
【０００５】
しかしながら、上述した特許文献１及び２に記載された高速充填時のサージ圧力を低減させる対策を行なっても、ダイカストマシンンの射出装置を高速で動作させると、溶湯の射出工程において急激な加速と減速及び急停止が行なわれて、ダイカストマシン自体に対して射出装置の動作方向へ衝撃や振動を引き起こすという問題があった。
さらに、高速射出を行なうとダイカストマシンの射出装置に作用する衝撃の加速度は１０００Ｇを超える場合もあり、そのため、射出装置に組み込まれている射出装置を制御して作動させるための油圧部品や電気部品なども衝撃や振動を受けて故障や損傷するといった問題もあった。
【０００６】
【特許文献１】特開平７−１５５９２５号公報
【特許文献２】特開２０００−３００７１４号公報
【発明の開示】
【発明が解決しようとする課題】
【０００７】
本発明は、上記従来の問題点に鑑みてなされたもので、その課題とするところは、ダイカストマシンの射出装置を制御するために組み込まれた油圧バルブや圧力計などの油圧部品、位置検出センサーや圧力検出器などの電気部品への衝撃や振動の伝達を緩和して、故障や損傷が低減されたダイカストマシンの射出装置を提供することにある。
【課題を解決するための手段】
【０００８】
上記問題を解決するため、第１の発明は、射出シリンダの前端部が型締装置の固定盤に設けられたフレームに嵌挿され金型内に金属の溶湯を射出充填するダイカストマシンの射出装置において、前記射出装置が衝撃や振動を緩衝する緩衝装置を備えていることを特徴とする。
第２の発明は、第１の発明において、前記緩衝装置が、前記射出装置が発生する衝撃力の大きさや方向及び振動の振幅や固有振動数などの特性に応じた緩衝特性を有していることを特徴とする。
【０００９】
上記問題を解決するため、第３の発明は、第１又は第２の発明において、前記緩衝装置が、前記射出装置と該射出装置下方に設けた支持部材との間に配設されていることを特徴とする。
第４の発明は、第１乃至第３の発明のいずれかにおいて、前記緩衝装置が、前記フレーム後端部及び前記射出シリンダ後端部に設けられ、前記射出装置の軸線方向に垂直方向の振幅に作用する複数個の緩衝手段を備えていることを特徴とする。
【００１０】
上記問題を解決するため、第５の発明は、第１乃至第３の発明のいずれかにおいて、前記緩衝装置が、前記フレーム後端部及び前記射出シリンダ後端部に設けられ、前記射出装置の軸線方向に交差方向の振幅に作用する複数個の緩衝手段を備えていることを特徴とする。
第６の発明は、第１乃至第５の発明のいずれかにおいて、前記緩衝手段が、前記射出装置と前記支持部材に挟持されたシート状の弾性部材と、前記支持部材ボルト挿通孔に嵌着されたスリーブ状の弾性部材と、該スリーブ状の弾性部材を挿通して前記射出装置に螺挿された植え込みボルトと、該植え込みボルトに挿通して配される金属バネと、リング状の弾性部材で構成され、前記射出装置に固定手段によって弾接されたことを特徴とする。
【発明の効果】
【００１１】
第１の発明に記載のダイカストマシンの射出装置によれば、溶湯充填完了時の運動エネルギーに伴う衝撃力を緩衝する緩衝装置を備えたので、射出装置に組み込まれた油圧部品や電気部品などへの衝撃や振動の伝達を緩和して、故障や損傷が低減され、より効果的に油圧部品や電気部品などを保護することができる。
第２の発明に記載のダイカストマシンの射出装置によれば、射出装置が発生する衝撃力の大きさや方向、振動の振幅や固有振動数などの特性に応じた緩衝装置としたので、振動に起因して発生する騒音を低減して防音対策を不要とするので、緩衝装置にかかるコストを低減することができる。
【００１２】
第３の発明に記載のダイカストマシンの射出装置によれば、油圧部品や電気部品などを組み込んだ射出装置の下方に支持部材を設け、緩衝装置を介して支持部材により射出装置を支持する構成としたので、基礎設置面への振動の伝達を絶縁することができる。
第４の発明に記載のダイカストマシンの射出装置によれば、緩衝装置を固定盤のフレームの後端部及び射出シリンダの後端部とに設けるとともに、主に射出装置の軸線方向に垂直方向の振幅に作用する構成としたので、上下動の振動特性に応じたより効果的な振動の緩衝を行なうことができる。
【００１３】
第５の発明に記載のダイカストマシンの射出装置によれば、緩衝装置を固定盤のフレームの後端部及び射出シリンダの後端部とに設けるとともに、主に射出装置の軸線方向に交差方向の振幅に作用する構成としたので、左右動の振動特性に応じたより効果的な振動の緩衝を行なうことができる。
第６の発明に記載のダイカストマシンの射出装置によれば、緩衝手段としてシート状の弾性部材と、前記支持部材ボルト挿通孔に嵌着されたスリーブ状の弾性部材と、スリーブ状の弾性部材を挿通して射出装置に螺挿された植え込みボルトと、植え込みボルトに挿通して配される金属バネと、リング状の弾性部材で構成し射出装置に固定手段によって弾接したので、ダイカストマシンの射出装置からの衝撃や振動を安価な汎用品を用いて緩和することができる。そして、より安価なコストで、射出装置に組み込まれた油圧部品や電気部品などへの衝撃や振動の伝達を緩和して、故障や損傷が低減され、より効果的に油圧部品や電気部品などを保護することができる。
【発明を実施するための最良の形態】
【００１４】
以下、本発明の実施の形態を添付図面に基づいて説明する。
図１〜図３は、本発明の一実施の形態を示したものである。図１において、２０は本発明に係るダイカストマシンの射出装置、１１は金型である。金型１１は、固定盤１２に取付けられた固定金型１３と可動盤１５に取付けられた可動型１４とからなっており、固定型１３に対して可動型１４を合わせた状態で金型キャビティ１６が形成されるようになっている。符号１０は、ダイカストマシンの型締装置である。
【００１５】
射出装置２０は、射出シリンダ２１、固定盤１２に設けられ射出シリンダ２１の前端部が嵌挿されるフレーム２２、床面１８に設置され射出シリンダ２１の少なくとも前端部および後端部の２箇所を支持する支持部材２３、射出シリンダ２１のロッド側油圧ブロック２４、射出シリンダ２１のヘッド側油圧ブロック２５、２６、溶湯を金型キャビティ１６内に射出充填する際に射出シリンダ２１に圧油を供給するピストンアキュムレータ２７、２８、ピストンアキュムレータ２７、２８に連通し窒素ガスが封入されたガスボトル２９、３０、で基本構成される。そして、油圧ブロック２４、２５、２６は射出シリンダ２１に供給する作動油の油量及び圧力を制御する油圧機器などを備えている。
【００１６】
また、射出装置２０は、固定盤１２を介して固定型１３に先端部が結合された射出スリーブ３５と、この射出スリーブ３５内に摺動自在に嵌装されたプランジャチップ３６と、プランジャチップ３６の後端からその軸線上を後方に延ばされたプランジャロッド３７と、射出シリンダ２１のピストンロッド３１とプランジャロッド３７とを連結するカップリング３８とを有している。
一方、射出スリーブ３５の後端部には、溶湯を供給するための給湯口３９が設けられており、鋳造に際しては、図示しないラドルからこの給湯口３９を通して射出スリーブ３５内に所定量の溶湯が供給される。射出スリービ３５内に供給された溶湯は、前進する射出シリンダ２１のピストンロッド３２に連結されたプランジャチップ３６によって金型キャビティ１６内に充填される。
そして、符号４０が射出装置２０と支持部材２３との間に配設され溶湯充填完了時の運動エネルギーによって発生する衝撃と振動とを緩衝する緩衝装置である。
【００１７】
図２は、主に射出装置の軸線方向に垂直方向の振幅に作用する構成とした緩衝装置４０の一実施形態の要部を示す。緩衝装置４０は、緩衝手段５０と、射出装置２０のフレーム２２及びヘッド側油圧ブロック２６とスペーサ５２に挟持されたシート状の弾性部材４１と、スペーサ５２とで基本構成される。スペーサ５２は複数個のボルト５３で支持部材２３に固着され、支持部材２３を介して射出装置２０を支持する構成となっている。
【００１８】
緩衝手段５０は、スペーサ５２のボルト挿通孔４２に嵌着されたスリーブ状の弾性部材４３と、スリーブ状の弾性部材４３を挿通して射出装置２０のフレーム２２又はヘッド側油圧ブロック２６に螺挿された植え込みボルト４４と、植え込みボルト４４と、挿通して配される複数個の金属バネ４５と、リング状の弾性部材４６及び固定手段４７などから基本構成される。
【００１９】
図２において、シート状の弾性部材４１を挟持するフレーム及びヘッド側油圧ブロック２６と支持部材２３との挟持部は矩形の形状を呈し、シート状の弾性部材４１もこれらに対応した矩形の形状を呈している。フレーム及びヘッド側油圧ブロック２６の支持部の少なくとも四隅には緩衝手段５０の植え込みボルト４４が螺設されるネジ孔が設けられている。植え込みボルト４４を挿通するボルト孔５１が設けられたシート状の弾性部材４１は、弾性歪エネルギーが大きくなるようにコンパウンドされた、例えば、二トリルゴムやクロロプレンゴムなどが好適に用いられる。そして、シート状の弾性部材４１は、射出装置２０で発生し支持部材２３に伝達される衝撃力と振動を緩衝するとともに、射出装置２０の振動を減衰させる。
【００２０】
スリーブ状の弾性部材４３は、内径側が植え込みボルト４４の外周部に、外径側が支持部材２３に設けられた挿通孔４２にそれぞれ緩挿され、植え込みボルト４４を介して支持部材２３に伝達する振動と衝撃を緩衝する。後述する固定手段４７の緊緩によってスリーブ状の弾性部材４３は植え込みボルト４４の外周と挿通孔４２の内周に圧接される構成となっている。
符号４６はリング状の弾性部材であって、スリーブ状の弾性部材４３と同じく植え込みボルト４４を介して伝達される射出装置２０からの振動と衝撃を緩衝する。そして、リング状の弾性部材４６は、押圧面を保護する絶縁用座金４８を備えている。
【００２１】
図２において、４５は金属バネ、４９は金属平座金で植え込みボルト４４に挿通して設けられ、金属バネ４５が圧縮されて発生する弾性力で支持部材２３と射出装置２０とを弾装している。固定手段４７は、締め付け用のナットと緩み止め用のナットと２個のナットで構成され、植え込みボルト４４のネジ部と螺合してバネ力を調整し所定の弾性力を得るとともに、緩衝特性を調整する。なお、本実施の形態では皿バネを用いた構成としたが、圧縮コイルバネやオイルダンパなどのエネルギーの吸収手段を用いる構成であっても良い。
リング状の弾性部材４６やスリーブ状の弾性部材４３は、弾性歪エネルギーが大きくなるようにコンパウンドされた、例えば、二トリルゴムやクロロプレンゴムなどを用いることが好ましい。
【００２２】
図３は、主に射出装置の軸線方向に交差方向の振幅に作用する構成とした緩衝装置４０の一実施形態の要部を示す。図２においては、緩衝手段５０を射出装置２０の軸線の垂直方法に配設したが、図３においては、緩衝手段５０を射出装置の軸線に交差する水平方向に配設したもので、基本構成については図３と同一の符号を付した。
図３は、水平方向の加振力に伴う射出装置２０からの衝撃と振動を緩衝する構成としたものであって、吸収する衝撃荷重の方向が異なるだけで機能及び作用は、上述した図２の説明と同一である。
また、図２及び図３に示した実施の形態に限らず、垂直方向と水平方向の合成した加振力に応じて複数個の緩衝手段５０を垂直方向及び水平方向にそれぞれ配設する構成とした緩衝装置であっても良い。
【００２３】
以上説明したように、射出装置２０のフレーム２２後端下部と射出シリンダ２１の後端部に取付けられた油圧ブロック２６の下部とそれぞれの支持部材２３との間に、射出装置２０で発生する衝撃荷重と衝撃荷重に伴う振動を緩衝する緩衝装置を設けたので、射出装置２０から指示部材２３への衝撃や振動の伝達を緩衝することができ、ダイカストマシンの射出装置に組み込まれた油圧部品や電気部品などへ衝撃や振動の伝達を緩和して、故障や損傷が低減されたダイカストマシンの射出装置を提供することができる。
さらに、指示部材２３へ伝達される衝撃力と振動が緩和さされることから、支持部材２３から床面１８への衝撃力と振動が減少して床面１８に対する悪影響を無くすことができる。
【図面の簡単な説明】
【００２４】
【図１】本発明のダイカストマシンの射出装置の一態様を示す図である。
【図２】本発明の射出装置の軸線方向に垂直方向の振幅に作用する構成とした緩衝装置一実施形態の要部を示す図である。
【図３】本発明の射出装置の軸線方向に交差方向の振幅に作用する構成とした緩衝装置の一実施形態の要部を示す図である。
【符号の説明】
【００２５】
１０    型締装置
１１    金型
１２    固定盤
１３    固定型
１４    可動盤
１５    可動型
１６    金型キャビティ
２０    射出装置
２１    射出シリンダ
２２    フレーム
２３    支持部材
２６    ヘッド側油圧ブロック
４０    緩衝装置
４１    シート状の弾性部材
４３    スリーブ状の弾性部材
４４    植え込みボルト
４５    金属バネ
４６    リング状の弾性部材
４７    固定手段
５０    緩衝手段
５２    スペーサ
【図１】
2008062271.tif 000003
【図２】
2008062271.tif 000004
【図３】
2008062271.tif 000005